【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
ネットワークを介して外部装置と通信する情報処理装置であって、
前記情報処理装置が提供するサービスを特定可能な識別情報を生成する生成手段と、
前記生成手段によって識別情報が生成されたことに応じて前記サービスを起動する起動手段と、
前記外部装置でユーザによって入力された入力情報をネットワークを介して前記外部装置から受信する受信手段と、
前記受信手段が受信した入力情報が、前記生成手段が生成した前記識別情報と対応するか否かを判定する判定手段と、
前記判定手段が前記識別情報と対応すると判定した場合に、前記情報処理装置のアドレス情報を前記外部装置に通知する通知手段とを有することを特徴とする情報処理装置。
【請求項２】
前記識別情報は前記サービスが起動されてから予め決められた時間の間有効であり、
該予め決められた時間を経過すると前記サービスを停止する停止手段を更に有することを特徴とする請求項１に記載の情報処理装置。
【請求項３】
前記判定手段は、前記生成手段の生成手順に従って前記入力情報から識別情報を生成する手段を含むことを特徴とする請求項１に記載の情報処理装置。
【請求項４】
前記識別情報は、前記情報処理装置を識別する情報、前記サービスを起動させたユーザを識別する情報、又は前記サービスが起動された時刻を含む情報から演算されたランダム値であることを特徴とする請求項１又は３に記載の情報処理装置。
【請求項５】
前記入力情報は、前記識別情報であることを特徴とする請求項４に記載の情報処理装置。
【請求項６】
前記入力情報は、前記情報処理装置を識別する情報、前記サービスを起動させたユーザを識別する情報、又は前記サービスが起動された時刻を含む情報であることを特徴とする請求項４に記載の情報処理装置。
【請求項７】
前記サービスはドキュメントファイルを保管するストレージサービスであることを特徴とする請求項１乃至６のいずれか１項に記載の情報処理装置。
【請求項８】
前記サービスはドキュメントファイルを読み込むスキャンサービスであることを特徴とする請求項１乃至６のいずれか１項に記載の情報処理装置。
【請求項９】
ネットワークを介して外部装置と通信する情報処理装置の制御方法であって、
前記情報処理装置が提供するサービスを特定可能な識別情報を生成する生成工程と、
前記生成工程で識別情報が生成されたことに応じて前記サービスを起動する起動工程と、
外部装置でユーザによって入力された入力情報をネットワークを介して前記外部装置から受信する受信工程と、
前記受信工程で受信した入力情報が、前記生成工程で生成した前記識別情報と対応するか否かを判定する判定工程と、
前記判定工程で前記識別情報と対応すると判定した場合に、前記情報処理装置のアドレス情報を前記外部装置に通知する通知工程とを有することを特徴とする情報処理装置の制御方法。
【請求項１０】
請求項９に記載の制御方法の工程をコンピュータに実行させるためのプログラム。
【請求項１１】
請求項１０に記載のプログラムを記憶したコンピュータ読取り可能な記憶媒体。
【請求項１２】
ネットワークを介して通信する複数の情報処理装置で行われる通信方法であって、
第１の情報処理装置が提供するサービスを特定可能な識別情報を生成する生成工程と、
第２の情報処理装置でユーザによって入力された入力情報を、該第２の情報処理装置から前記第１の情報処理装置へ送信する送信工程と、
前記第１の情報処理装置から前記第２の情報処理装置へ、前記入力情報が前記識別情報に対応することを示す返信を行なう返信工程と、
前記第２の情報処理装置が、前記返信から前記第１の情報処理装置のアドレス情報を取得する取得工程とを有することを特徴とする通信方法。
【請求項１３】
前記入力情報は、前記識別情報であることを特徴とする請求項１２に記載の通信方法。
【請求項１４】
前記生成工程の生成手順に従って前記入力情報から前記識別情報を生成する工程をさらに有することを特徴とする請求項１２に記載の通信方法。
【手続補正２】
【補正対象書類名】明細書
【補正対象項目名】０００９
【補正方法】変更
【補正の内容】
【０００９】
かかる課題を解決するために、本発明の情報処理装置は、ネットワークを介して外部装置と通信する情報処理装置であって、前記情報処理装置が提供するサービスを特定可能な識別情報を生成する生成手段と、前記生成手段によって識別情報が生成されたことに応じて前記サービスを起動する起動手段と、前記外部装置でユーザによって入力された入力情報をネットワークを介して前記外部装置から受信する受信手段と、前記受信手段が受信した入力情報が、前記生成手段が生成した前記識別情報と対応するか否かを判定する判定手段と、前記判定手段が前記識別情報と対応すると判定した場合に、前記情報処理装置のアドレス情報を前記外部装置に通知する通知手段とを有することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
ここで、前記識別情報は前記サービスが起動されてから予め決められた時間の間有効であり、該予め決められた時間を経過すると前記サービスを停止する停止手段を更に有する。また、前記判定手段は、前記生成手段の生成手順に従って前記入力情報から識別情報を生成する手段を含む。また、前記識別情報は、前記情報処理装置を識別する情報、前記サービスを起動させたユーザを識別する情報、又は前記サービスが起動された時刻を含む情報から演算されたランダム値である。また、前記入力情報は、前記識別情報である。また、前記入力情報は、前記情報処理装置を識別する情報、前記サービスを起動させたユーザを識別する情報、又は前記サービスが起動された時刻を含む情報である。また、前記サービスはドキュメントファイルを保管するストレージサービスである。また、前記サービスはドキュメントファイルを読み込むスキャンサービスである。
【手続補正５】
【補正対象書類名】明細書
【補正対象項目名】００１２
【補正方法】変更
【補正の内容】
【００１２】
又、本発明の情報処理装置の制御方法は、ネットワークを介して外部装置と通信する情報処理装置の制御方法であって、前記情報処理装置が提供するサービスを特定可能な識別情報を生成する生成工程と、前記生成工程で識別情報が生成されたことに応じて前記サービスを起動する起動工程と、外部装置でユーザによって入力された入力情報をネットワークを介して前記外部装置から受信する受信工程と、前記受信工程で受信した入力情報が、前記生成工程で生成した前記識別情報と対応するか否かを判定する判定工程と、前記判定工程で前記識別情報と対応すると判定した場合に、前記情報処理装置のアドレス情報を前記外部装置に通知する通知工程とを有することを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
更に、上記制御方法の工程をコンピュータに実行させるためのプログラム、及び該プログラムを記憶したコンピュータ読取り可能な記憶媒体を提供する。
【手続補正８】
【補正対象書類名】明細書
【補正対象項目名】００１５
【補正方法】変更
【補正の内容】
【００１５】
又、本発明の通信方法は、ネットワークを介して通信する複数の情報処理装置で行われる通信方法であって、第１の情報処理装置が提供するサービスを特定可能な識別情報を生成する生成工程と、第２の情報処理装置でユーザによって入力された入力情報を、該第２の情報処理装置から前記第１の情報処理装置へ送信する送信工程と、前記第１の情報処理装置から前記第２の情報処理装置へ、前記入力情報が前記識別情報に対応することを示す返信を行なう返信工程と、前記第２の情報処理装置が、前記返信から前記第１の情報処理装置のアドレス情報を取得する取得工程とを有することを特徴とする。前記入力情報は、前記識別情報である。前記生成工程の生成手順に従って前記入力情報から前記識別情報を生成する工程をさらに有する。